(57)【特許請求の範囲】
【請求項１】
座席架台（３０）に配置された座部（１０）および背もたれ（２０）を備え、座部（１０）が水平軸を中心としてほぼ垂直の第１位置（Ｉ）からほぼ水平の第２位置（ＩＩ）まで揺動でき、座席架台（３０）が、架台脚（３２）に支持された少なくとも１つの片持ち支持梁（３１）と、この支持梁（３１）に固定され背もたれ（２０）を囲い込む少なくとも２つの座席仕切り（３３）とを有し、座部（１０）が、この座部（１０）を折りたたむために座席仕切り（３３）に揺動可能にヒンジ結合された支持腕（１５）を有し、第１終端部位（５１）で座席仕切り（３３）に配置された軸受ブッシュ（３４）に回転可能に支持されかつ第２終端部位（５２ａ、５２ｂ）で背もたれ（２０）に配置された取付け具（２１）に回転可能にあるいは相対回転不能に支持された支持軸（５０）が設けられ、この支持軸（５０）が第１終端部位（５１）と第２終端部位（５２ａ、５２ｂ）との間に存在する中央部位（５３ａ、５３ｂ）を有し、支持軸（５０）の中央部位（５３ａ、５３ｂ）が支持腕（１５）の開口（１６ａ、１６ｂ）に相対回転不能に配置され、ばね（６１）が結合部を介して座部（１０）に係合し、ばね力によって座部（１０）が揺動されて第１位置（Ｉ）に位置決めされかつばね力に抗して水平の第２位置（ＩＩ）に揺動可能であり、ばね（６１）が座席架台（３０）に配置され、支持軸（５０）の第１終端部位（５１）に相対回転不能に連結された揺動レバー（４８）に接続されていることを特徴とする乗物用座席、特に航空機乗客用座席。
【請求項２】
背もたれ（２０）がばね、特にガスばね（６０）の作用に抗して調整可能に座席仕切り（３３）に配置されていることを特徴とする請求項１記載の乗物用座席。
【請求項３】
ばね（６０）が、支持梁（３１）に取付けられたブラケット（３５）上に配置され、支持軸（５０）の第１終端部位（５１）に相対回転不能に連結された調整レバー（５５）に接続されていることを特徴とする請求項２記載の乗物用座席。
【請求項４】
座席仕切り（３３）に揺動可能に配置された肘掛け（４０）が設けられていることを特徴とする請求項１乃至３の１つに記載の乗物用座席。
【請求項５】
肘掛け（４０）が、座席仕切り（３３）の上端を取り囲む下側殻（４１）および上側殻（４２）から構成されていることを特徴とする請求項４記載の乗物用座席。
【請求項６】
ばね（６１）がガスばね（６１）として構成されていることを特徴とする請求項１乃至５の１つに記載の乗物用座席。
【請求項７】
肘掛け（４０）に配置されたスライダ（４４）において案内ピン（４６）によって案内される連結棒（４５）が、揺動レバー（４８）にヒンジ結合されていることを特徴とする請求項１乃至６の１つに記載の乗物用座席。
【請求項８】
支持梁（３１）の断面が円形、好適には楕円形に形成されていることを特徴とする請求項１乃至７の１つに記載の乗物用座席。
【請求項９】
支持梁（３１）が炭素繊維強化プラスチックで作られていることを特徴とする請求項１乃至８の１つに記載の乗物用座席。
【請求項１０】
架台脚（３２）及び／又は座席仕切り（３３）及び／又はブラケット（３５）が、アルミニウムで作られ、特に切削加工され、好適には、支持梁（３１）にクランプ継手によって取付けられていることを特徴とする請求
項１乃至９の１つに記載の乗物用座席。
【請求項１１】
座部（１０）が座部本体（１１）を有し、この座部本体（１１）が、好適には、炭素繊維強化プラスチックで作られ、弾性材料から成るクッション（１４）を備えていることを特徴とする請求項１乃至１０の１つに記載の乗物用座席。
【請求項１２】
座部本体（１１）が、傾斜した窪み（１３）を備えた上側面（１２）を有していることを特徴とする請求項１１記載の乗物用座席。
【請求項１３】
座部本体（１１）が収容室（１７）を備えていることを特徴とする請求項１１又は１２記載の乗物用座席。
【請求項１４】
座部本体（１１）が支持梁（３１）の輪郭に合わされた凹所（１８）を有し、座部本体（１１）が座部（１０）の第２位置（ＩＩ）において前記凹所（１８）で支持梁（３１）上に載っていることを特徴とする請求項１１乃至１３の１つに記載の乗物用座席。
【請求項１５】
座部本体（１１）がブラケット（３５）のための凹所（１９）を有していることを特徴とする請求項１１乃至１４の１つに記載の乗物用座席。
【請求項１６】
支持梁（３１）に互いに並べて配置された複数の、好適には３つの座部（１０）および背もたれ（２０）が設けられていることを特徴とする請求項１乃至１５の１つに記載の乗物用座席。
【発明の詳細な説明】
【０００１】
【発明の属する技術分野】
本発明は、座席架台に配置された座部および背もたれを備え、座部が水平軸を中心としてほぼ垂直の第１位置からほぼ水平の第２位置まで揺動でき、座席架台が、架台脚に支持された少なくとも１つの片持ち支持梁と、この支持梁に固定され背もたれを囲い込む少なくとも２つの座席仕切りとを有し、座部が、この座部を折りたたむために座席仕切りに揺動可能にヒンジ結合された支持腕を備えている乗物用座席、特に航空機乗客用座席に関する。
【０００２】
【従来の技術】
このような乗物用座席は特許文献１に記載されている。公知の乗物用座席は航空機の客室で利用される座席群として形成されている。その座席群は座部と背もたれとから成る多数の座席を支持する支持架台を有している。その座席は共通の案内レールによって横に移動可能に配置されている。座部に配置された連結装置は、座席固有部品の相対運動によって作動され、座部に配置された案内要素と連動する。連結要素の作動時、案内要素がその座席と共に案内レール上を移動する。それに応じて、座席が移動可能に配置された座席群は、航空機において有用な通行面積を適宜に変更できる。しかし、その公知の座席群の場合、非常に多くの部品が必要とされ、従って組立費が高いという欠点がある。
【０００３】
また特許文献２にも乗物用座席が記載されている。その先ず第１に航空機乗客用座席として使用する乗物用座席は、背もたれ並びに座部が調整可能に配置されている。その場合、背もたれが後ろに（リクライニング位置に）倒された際、背もたれ側の座部後部が下げられ、座部前部がほとんど変化しないように、背もたれおよび座部が双腕レバーによって互いに連結されている。このようにして、航空機乗客用座席を利用する乗客にとって非常に大きな快適性が生ずる。しかしこの公知の航空機乗客用座席の場合、構造が非常に複雑であり、重量が重いという欠点がある。また、航空機乗客用座席として利用する場合に普通であるように多数の航空機乗客用座席が前後左右に列を成して配置されている場合、乗物用座席間の自由空間が通常きちきちに寸法づけられているために、掃除し難いという欠点がある。
【０００４】
【特許文献１】
独国特許第１９５３４０２４号明細書
【特許文献２】
西独特許出願公開第３６３８２３１号明細書
【０００５】
【発明が解決しようとする課題】
本発明の課題は、冒頭に述べた形式の乗物用座席を、部品点数を非常に少なくでき、簡単に組立てでき且つコンパクトな構造にでき、良好に出入りできるように改良することにある。
【０００６】
【課題を解決するための手段】
この課題は、座席架台に配置された座部および背もたれを備え、座部が水平軸を中心としてほぼ垂直の第１位置からほぼ水平の第２位置まで揺動でき、座席架台が、架台脚に支持された少なくとも１つの片持ち支持梁と、この支持梁に固定され背もたれを囲い込む少なくとも２つの座席仕切りとを有し、座部が、この座部を折りたたむために座席仕切りに揺動可能にヒンジ結合された支持腕を有し、第１終端部位で座席仕切りに配置された軸受ブッシュに回転可能に支持されかつ第２終端部位で背もたれに配置された取付け具に回転可能にあるいは相対回転不能に支持された支持軸が設けられ、この支持軸が第１終端部位と第２終端部位との間に存在する中央部位を有し、支持軸の中央部位が支持腕の開口に相対回転不能に配置され、ばねが結合部を介して座部に係合し、ばね力によって座部が揺動されて第１位置に位置決めされかつばね力に抗して水平の第２位置に揺動可能であり、ばねが座席架台に配置され、支持軸の第１終端部位に相対回転不能に連結された揺動レバーに接続されていることによって解決される。
【０００７】
このように折りたたみ式座席として形成された乗物用座席は、座部が折りたたまれることによって、詳しくは多数の乗物用座席が比較的狭い間隔で前後に配置されている場合でも、容易に出入りできることを保証する。そのように出入りが容易にできるために、掃除が簡単になり、快適な着席が保証される。従って、本発明に基づく乗物用座席は特に航空機乗客用座席に適している。更に、本発明に基づく乗物用座席は、部品点数が比較的少なく、このために組立が簡単になり構造がコンパクトになるという特長を有する。その理由は、座席架台の座席仕切りに座部と背もたれとをヒンジ結合できるようにした支持軸の形状にある。即ち、支持軸は比較的少ない部品点数を保証する機能統合を生じさせている。また、支持腕は別個の部品として座部に結合されるか、あるいは座部と一体に作られる。特に後者は、機能統合性を高め、従って組立てを簡単にする。更にまた、支持軸が補助的に座部の支持機能を負っていることによって、機能統合性が一層高められる。背もたれの支持と類似して、支持軸中央部位と支持腕の開口とが固く結合されていることにより、支持軸の回転によって、座部が揺動される。
【０００８】
本発明に基づく乗物用座席の有利な実施態様は従属請求項２〜１７に記載されている。
【０００９】
本発明に基づく乗物用座席の有利な実施態様において、背もたれがばね、特にガスばねの作用に抗して調整可能に座席仕切りに配置されている。傾きを調整できる背もたれは、このようにして、後ろに倒された位置（リクライニング位置）から初期位置に、便利に且つ迅速に置かれる。
【００１０】
本発明に基づく乗物用座席の有利な実施態様において、ばねが、支持梁に取付けられたブラケット上に配置され、支持軸の第１終端部位に連結された調整レバーに接続されている。ブラケットへのばねの配置は、支持梁の単純な形成および安価な製造に貢献する。調整レバーが支持軸の回転を可能にしている。調整レバーがばねに接続されていることにより、支持軸および従って背もたれはばねの作用に抗して調整できる。
【００１１】
また、本発明に基づく乗物用座席を利用する乗客の利便性を高めるために、座席仕切りに揺動可能に配置されている肘掛けが設けられていると有利である。このような肘掛けの揺動可能な配置は、座部が折りたたまれた際、即ち垂直位置にあるとき、前後に配置された乗物用座席間に生ずる自由空間が、肘掛けで妨げられないことを保証する。
【００１２】
肘掛けが座席仕切りの上端を取り囲む下側殻および上側殻から構成されていることによって、肘掛けは有利に単純に取付けることができる。その理由は、肘掛けがそのようにして２つに分けられ、これによって、非常に簡単に座席仕切りに取付けられることにある。
【００１３】
本発明に基づく乗物用座席の有利な実施態様において、座部がばね、特にガスばねの作用に抗して、第１位置から第２位置に揺動できる。そのような形成は、乗物用座席が使用されないとき、座部が常に折りたたまれた位置にあることを保証する。その場合、構造的な観点から、ばねが座席仕切りに配置され、支持軸の第１終端部位に相対回転不能に連結された揺動レバーに接続されていると有利である。このようにして、ばねで発生されたばね力は、支持軸に与えられるトルクに変換され、そのトルクが座部を第１位置に揺動させる。
【００１４】
肘掛けに配置されたスライダにおいて案内ピンによって案内される連結棒が、揺動レバーにヒンジ結合されていると有利である。その連結棒は、座部と肘掛けとの連結を生じさせ、これによって、座部が第１位置にある場合に、肘掛けも折りたたまれていることを保証する。スライダの存在によって、座部が水平の第２位置にある場合も、肘掛けが折りたためることが保証される。
【００１５】
支持梁の堅固な形状は、支持梁の断面が円形、好適には楕円形に形成されていることによって生ずる。特に、好ましくは中空形材として形成された支持梁の楕円断面形状は、その長軸が水平に延びているとき、乗物用座席において生ずる荷重に関して良好な抵抗モーメントを生ずる。
【００１６】
支持梁をできるだけ軽量にするために、支持梁が炭素繊維強化プラスチック（ＣｆＫ）で作られていると有利である。炭素繊維強化プラスチックは比較的小さい密度で大きな強度を有している。これに対して、架台脚及び／又は座席仕切り及び／又はブラケットは、好適には、アルミニウムで作られ、特に切削加工され、好適には、クランプ継手で支持梁に取付けられている。アルミニウムの使用は座席架台の比較的軽量で大きな強度を保証する。クランプ継手によって、材料が異なっていても、支持梁への架台脚、座席仕切りおよびブラケットの確実な固定が保証される。
【００１７】
本発明に基づく乗物用座席の有利な実施態様において、座部が座部本体を有し、この座部本体が、好適には、炭素繊維強化プラスチックで作られ、弾性材料から成るクッションを備えている。座部本体は座部に高い強度を与え、これに対して、クッションは乗物用座席を使用する乗客の高い快適性に貢献する。公知のように、クッションはカバーで覆われている。
【００１８】
特に本発明に基づく乗物用座席を航空機乗客用座席として利用した際、事故時において乗客を良好に保持するために、座部本体が傾斜した窪みを備えた上側面を有していると有利である。その窪みは、事故時に乗客が過度に前方に滑り出ることを阻止するいわゆるアンチサブマリン構造となっている。
【００１９】
特に、座部本体が収容室を備えていると有利である。この乗物用座席が航空機乗客用座席として利用されるとき、その収容室は例えば救命胴衣を収納するために使われる。
【００２０】
本発明に基づく有利な構造的な実施態様において、座部本体が支持梁の輪郭に合わされた凹所を有し、座部本体が座部の第２位置においてその凹所で支持梁上に載っている。支持梁の断面が楕円形に形成されている場合、その凹所は盆状輪郭を有している。第２位置において支持梁に接する座部本体は、一方では効果的に支持される。従って他方では、支持梁は、支持腕によって揺動できる座部本体に対するストッパとして使われ、これによって座部は第２位置に精確に位置決めされ、支持軸の負荷を軽減する。
【００２１】
本発明に基づく乗物用座席の実施態様において、座部本体がブラケットのための凹所を有している。このようにして、支持梁に取付けられたブラケットが座部の揺動範囲を害さない。
【００２２】
更にまた、本発明に基づく乗物用座席は、好適には、支持梁に互いに並べて配置された複数の、好適には３つの座部および背もたれを有している。乗物用座席はこのようにして航空機に通常利用されている長椅子となる。
【００２３】
本発明に基づく乗物用座席の詳細および他の利点は、以下の有利な実施例の説明から理解できる。
【００２４】
【発明の実施の形態】
図１ａに示された航空機乗客用座席は、複数人の乗客に対して座席を提供する長椅子として形成されている。その長椅子は座席架台３０を有し、この座席架台３０にそれぞれ、３つの座部１０および背もたれ２０が並べて配置されている。特に図１ｂから理解できるように、座席架台３０は片持ち支持梁３１を有し、この支持梁３１は架台脚３２に支持されている。また座席架台３０に、背もたれ２０の横を囲い込む座席仕切り３３が設けられている。断面がほぼ楕円形に形成された支持梁３１は、炭素繊維強化プラスチックで作られ、これに対して架台脚３２並びに座席仕切り３３はアルミニウムから切削加工されている。架台脚３２および座席仕切り３３は支持梁３１に、両者の材料が異なっていることにより、クランプ継手によって取付けられている。このために、図１ｂから明らかなように、座席仕切り３３は架台脚３２に結合できる。
【００２５】
図２ａ〜図２ｄには、座席架台３０への背もたれ２０の取付けが示されている。図２ａから明らかなように、背もたれ２０はその傾きを調整できるように座席架台３０に配置されている。このために、背もたれ２０の揺動を可能にする支持軸５０が利用されている。この支持軸５０は、図２ｂおよび図２ｃから理解できるように、その第１終端部位５１で、座席仕切り３３に配置された軸受ブッシュ３４に回転可能に支持されている。支持軸５０の第１終端部位５１とは反対側に位置する第２終端部位５２ｂは、背もたれ２０に配置された取付け具２１に相対回転不能に結合されている。このために、取付け具２１は、支持軸５０の第２終端部位５２ｂの平坦部５４にかみ合い結合される平坦部２２を有している。また、支持軸５０の第１終端部位５１は調整レバー５５に相対回転不能に固く連結され、この調整レバー５５の調整によって、背もたれ２０が揺動される。支持軸５０の第１終端部位５１と調整レバー５５との相対回転不能な固い連結のために、軸受ブッシュ３４の内部において第１終端部位５１と調整レバー５５とのかみ合い結合を生じさせる平坦部５６、５７が設けられている。
【００２６】
図２ｄから明らかなように、調整レバー５５は連結部材６２によってガスばね６０に接続されている。このガスばね６０は、クランプ継手によって支持梁３１に取付けられたアルミニウム製のブラケット３５上に配置されている。このようにして、背もたれ２０はガスばね６０の作用に抗してその傾きが調整される。背もたれ２０を調整するために、公知のように、例えば連結部材６２に作用する駆動装置（図示せず）が設けられる。
【００２７】
図３ａ〜図３ｄには、座席架台３０への座部１０の取付けが示されている。特に図３ｂから理解できるように、座部１０は、炭素繊維強化プラスチックで作られた座部本体１１を有している。座部本体１１は上側面１２に傾斜した窪み１３が設けられている。この窪み１３は、航空機乗客用座席を使用する乗客が事故時に過度に前方に滑り出ることを防止するいわゆるアンチサブマリン構造となっている。座部本体１１にはまた、例えば救命胴衣が収納される収容室１７が設けられている。座部本体１１はその上側面１２上に、通常のようにカバーが張られたクッション１４を支えている。そのカバーは、図３ｃから理解できるように、収容室１７を覆っている。収容室１７に収納された救命胴衣が簡単に取り出せるように、そのカバーに引裂き綱（図示せず）が設けられ、必要な場合、この引裂き綱によって、収納室１７の前でカバーが簡単に破られる。
【００２８】
座部本体１１の横に支持腕１５が一体に形成され、この支持腕１５は座席仕切り３３に揺動可能にヒンジ結合されている。このために、支持腕１５に開口１６ａ、１６ｂが設けられ、これらの開口１６ａ、１６ｂに、支持軸５０の中央部位５３ａ、５３ｂが回転可能に支持されている。このようにして座部１０は、水平に延びる支持軸５０を中心として、ほぼ垂直に延びる第１位置Ｉから、ほぼ水平に延びる第２位置ＩＩまで揺動できる。
【００２９】
図３ａにおいて右側の支持腕１５は、ほかの支持腕１５と異なって、平坦部を備えた開口１６ｃを有している。図３ｄから明らかなように、開口１６ｂを貫通して延びる支持軸５０の中央部位５３ｂも同様に、支持軸５０と支持腕１５とのかみ合い結合を生じさせる平坦部を有している。従って、図３ａの右側における座部１０は支持軸５０の回転によって第１位置Ｉから第２位置ＩＩまで揺動され、これに対して、ほかの２つの座部１０は座部本体１１をつかんで揺動される。
【００３０】
図４ａ〜図４ｃには、座席仕切り３３への揺動可能な肘掛け４０の配置が示されている。肘掛け４０は、図４ｂから明らかなように、座席仕切り３３の上端を囲い込む下側殻４１と上側殻４２から構成されている。その肘掛け４０は継手ピン４７によって座席仕切り３３に回転可能に支持されている。座席仕切り３３の上端の範囲において下側殻４１と上側殻４２との間に、肘掛け４０の揺動のために避けられない隙間が存在している。この隙間に指などが挟まって怪我をする危険を防止するために、その隙間を覆うカバー４３が設けられている。
【００３１】
肘掛け４０の内部にスライダ４４が配置されている。このスライダ４４は案内ピン４６によってスライダ４４において案内される連結棒４５に対する可変回転中心を形成している。その連結棒４５は揺動レバー４８にヒンジ結合されている。この揺動レバー４８は、図１ａおよび図３ａにおける右側座席の支持軸５０の第１終端部位５１に相対回転不能に固く連結されている。その固い結合のために、支持軸５０の第１終端部位５１は、特に図４ｂから理解できるように、揺動レバー４８にかみ合い結合されている。揺動レバー４８と支持軸５０の第１終端部位５１とは、第１終端部位５１のねじ孔に外からねじ込まれたねじ４９によって、軸線方向において保持されている。
【００３２】
揺動レバー４８は支持軸５０の第１終端部位５１とは反対側端に、座席仕切り３３に配置されたガスばね６１が接続されている。このガスばね６１は、支持軸５０およびこれにかみ合い結合された座部１０が、ガスばね６１によって惹き起こされる復帰力に抗して、垂直位置Ｉから水平位置ＩＩに揺動されるように作用する。このようにして、座部１０は、使用されないとき、常に垂直位置Ｉにある。
【００３３】
肘掛け４０は連結棒４５によって座部１０の動きに追従する。座部１０と無関係な肘掛け４０の揺動はスライダ４４によって保証される。これは、座部１０が下ろされているとき、例えば座席を使用する乗客が簡単に立ち上がれるようにするために、肘掛け４０が垂直位置に揺動できることを意味する。
【００３４】
座部１０および肘掛け４０が取る種々の位置は、特に図５ａ〜図５ｃで明らかに理解できる。特に図５ｂにおいて、肘掛け４０が座部１０と無関係にはね上げられることが理解できる。図５ｃには、座部１０および肘掛け４０の折りたたみによって生ずる前後に隣接する長椅子間の空間が示されている。即ち、座部１０および肘掛け４０が下ろされている場合の前後に隣接する長椅子間の自由空間Ｂは、座部１０および肘掛け４０が折りたたまれている場合の自由空間Ａよりかなり狭い。従って、その広い自由空間Ａは容易に出入りできることを保証し、これにより掃除が簡単にでき且つ快適な着席が可能になる。このために実際には、座部１０の垂直位置Ｉへの自動はね上げを生じさせるガスばね６１は、通路側座席に設けるだけでよいことが分かっている。ほかの２つの座席に対して、座部１０が例えば掃除目的で手動で、水平位置ＩＩから垂直位置Ｉにはね上げられるだけで足りる。また、通路側座席が自動的に垂直位置Ｉに揺動されることにより、そのようにして露出した支持梁３１は、例えば特に図５ａで理解できるように、航空機において通常は座席の上方に存在する携帯品置き場に荷物を収納するために、踏み台として利用することができる。
【００３５】
図５ａにおいて、通路側座席の範囲に出入り性を害するガスばね６１用のブラケット３５が配置されていないことが理解できる。通路側座席の背もたれ２０を調整させるガスばね６１は、図１ｂおよび図２ａから理解できるように、中央座席２０の範囲に存在するブラケット３５に配置されている。座部１０が水平位置ＩＩに下ろされている場合、図３ｂおよび図５ａから理解できるように、ブラケット３５はその上に存在するガスばね６１も含めて、座部本体１１の下側面に設けられた凹所１９の中に置かれる。従って、座部１０の揺動範囲はブラケット３５によって害されない。また座部本体１１の下側面に、支持梁３１の輪郭に合わされた凹所１８が存在している。例えば図５ｂから理解できるように、座部１０が水平位置ＩＩにあるとき、座部本体１１は凹所１８内において支持梁３１上に置かれる。ほぼ盆状の輪郭を有する凹所１８は、一方では、座部本体１１のストッパとして使われ、これによって、座部１０は水平位置ＩＩにおいて精確に位置決めされる。他方では、座部１０は凹所１８で支持梁３１上に支持され、これによって、支持軸５０は、座部１０の通常負荷される水平位置ＩＩにおいて負荷が軽減される。従って、支持軸５０は小さく設計されるか、あるいは例えば背もたれ２０の背面に存在する折りたたみ式テーブルによって容易に追加的に負荷できる。その折りたたみ式テーブルは、支持軸５０に揺動可能にヒンジ結合されている。
【００３６】
上述した航空機乗客用座席は、比較的単純で且つ軽量な構造によって特徴づけられる。その理由は、一方では、比較的小さな密度で高い強度を有する例えばアルミニウムや炭素繊維強化プラスチックのような材料の使用にある。他方では、例えば支持軸５０によって座部１０および背もたれ２０を同時に支持するような個々の部品への複数の機能の割り当てにあり、これによって、部品点数が少なくされ、迅速な組立並びにコンパクトなモジュール構造が保証される。また、上述の航空機乗客用座席は、非常に良好に出入りできる長椅子としての形成によって特徴づけられる。その理由は、まず第１に、座部１０の揺動可能な配置にある。このように折りたたみ式座席として形成された航空機乗客用座席は、座部１０が折りたたまれた状態において、前後に隣接する２つの長椅子間に比較的大きな自由空間Ａを提供する。非使用状態における長椅子の通路側座席の自動的な折りたたみは、航空機の通路の支障ない通行を保証する。勿論、上述の航空機乗客用座席は、例えば乗客の指などが挟まって起こる潜在的な怪我の危険に対して、カバー４３の存在によって、あるいは図５ａおよび図５ｃで理解できる座席仕切り３３の覆い７０によって保護されるように、予防処置が講じられている。
【図面の簡単な説明】
【図１ａ】３つの座席を有する長椅子として形成された本発明に基づく航空機乗客用座席の斜視図
【図１ｂ】図１ａにおける航空機乗客用座席の座席架台の斜視図
【図２ａ】背もたれが据え付けられた図１ｂにおける座席架台の背面斜視図
【図２ｂ】図２ａにおける部分ＩＩｂの拡大図
【図２ｃ】座席架台への背もたれの取付け部の分解斜視図
【図２ｄ】背もたれを調整する機構の斜視図。
【図３ａ】座部が据え付けられた図１ｂにおける座席架台の斜視図
【図３ｂ】座部の斜視図
【図３ｃ】クッションが設けられた図３ｂの座部の斜視図
【図３ｄ】座部の取付け部の分解斜視図
【図４ａ】図１ａにおける部分ＩＶａの拡大図
【図４ｂ】揺動レバーの取付け部の分解斜視図
【図４ｃ】肘掛けの調整機能を示す斜視図。
【図５ａ】１つの座部が折りたたまれた状態の図１ａに相当した図
【図５ｂ】座部および肘掛けが異なった位置にある状態の図
【図５ｃ】座部および肘掛けが下ろされている場合と折りたたまれている場合の前後に隣接する複数の航空機乗客用長椅子間の自由空間の相違を示した側面図。
【符号の説明】
１０    座部
１１    座部本体
１２    上側面
１３    窪み
１４    クッション
１５    支持腕
１６ａ  開口
１６ｂ  開口
１７    収容室
１８    凹所
１９    凹所
２０    背もたれ
２１    取付け具
２２    平坦部
３０    座席架台
３１    支持梁
３２    座席仕切り
３４    軸受ブッシュ
３５    ブラケット
４０    肘掛け
４１    下側殻
４２    上側殻
４３    カバー
４４    スライダ
４５    連結棒
４６    案内ピン
４７    継手ピン
４８    揺動レバー
４９    ねじ
５０    支持軸
５１    第１終端部位
５２ａ  第２終端部位
５３ａ  中央部位
５３ｂ  中央部位
５４    平坦部
５５    調整レバー
５６    平坦部
５７    平坦部
６０    ガスばね
６２    連結部材
７０    覆い
Ａ      自由空間
Ｂ      自由空間
Ｉ      垂直位置
ＩＩ    水平位置
【図１ａ】
0003905854.tif 000002
【図１ｂ】
0003905854.tif 000003
【図２ａ】
0003905854.tif 000004
【図２ｂ】
0003905854.tif 000005
【図２ｃ】
0003905854.tif 000006
【図２ｄ】
0003905854.tif 000007
【図３ａ】
0003905854.tif 000008
【図３ｂ】
0003905854.tif 000009
【図３ｃ】
0003905854.tif 000010
【図３ｄ】
0003905854.tif 000011
【図４ａ】
0003905854.tif 000012
【図４ｂ】
0003905854.tif 000013
【図４ｃ】
0003905854.tif 000014
【図５ａ】
0003905854.tif 000015
【図５ｂ】
0003905854.tif 000016
【図５ｃ】
0003905854.tif 000017